(57)【要約】【課題】掲載文書が削除されても画像を保存できるとともに、画像編集が行われている場合には、画像を編集前の画像に復元するか否かを選択することができる電子掲示板機能を備えたサーバ装置を提供する。【解決手段】スレッド全体または選択されているコメントのみの削除が行われると、制御部３１は画像が含まれているか否かを判別し、画像が含まれている場合には、画像を消去するか否かをユーザに確認する。そして、消去しない場合は、画像格納部３２及び差分画像情報格納部３３に保存されている画像を削除画像格納部３５に移動させ、消去する場合は、画像格納部３２及び差分画像情報格納部３３に保存されている画像を削除する。この後、制御部３１はコメント格納部３４に保存されている該当するコメントを削除するとともに、画像バージョン情報管理部３６、コメントリンク情報管理部３７にリンク情報の削除を指示し、画像及びコメントのリンク情報を修正する。【選択図】        図３
2004362112.tif 000002
【特許請求の範囲】
【請求項１】
画像データ及びテキストデータを掲載文書として扱うことができる電子掲示板機能を備えたサーバ装置において、画像データを格納する画像格納手段と、テキストデータを格納するコメント格納手段と、削除した画像を格納する削除画像格納手段と、上記各部を制御する制御手段とを備え、画像が含まれた掲載文書を削除する場合、上記制御手段が画像データを消去するか否かを選択させる画面を掲示板上に表示させるとともに、画像データを消去しない場合には、上記制御手段が削除される画像データを上記画像格納手段から上記削除画像格納手段に移動させることを特徴とする電子掲示板機能を備えたサーバ装置。
【請求項２】
画像データ及びテキストデータを掲載文書として扱うことができる電子掲示板機能を備えたサーバ装置において、画像データを格納する画像格納手段と、テキストデータを格納するコメント格納手段と、上記画像格納手段に格納された画像のバージョン管理を行う手段と、上記各部を制御する制御手段とを備え、掲載文書を削除する場合、上記制御手段がその掲載文書において画像編集が行われているか否かを判別し、画像編集が行われていた場合には、上記制御手段が編集画像を削除するとともに、画像バージョン管理手段のバージョンデータから編集履歴を削除することを特徴とする電子掲示板機能を備えたサーバ装置。
【請求項３】
画像データ及びテキストデータを掲載文書として扱うことができる電子掲示板機能を備えたサーバ装置において、画像データを格納する画像格納手段と、テキストデータを格納するコメント格納手段と、上記画像格納手段に格納された画像のバージョン管理を行う手段と、上記各部を制御する制御手段とを備え、掲載文書を削除する場合、上記制御手段がその掲載文書において画像編集が行われているか否かを判別し、画像編集が行われていた場合には、上記制御手段が編集された画像を復元するか否かを選択させる画面を掲示板上に表示させるとともに、編集された画像を復元する場合には、上記制御手段が編集画像を削除するとともに、画像バージョン管理手段のバージョンデータから編集履歴を削除して画像を復元することを特徴とする電子掲示板機能を備えたサーバ装置。
【発明の詳細な説明】
【０００１】
【発明の属する技術分野】
本発明は、通信ネットワークを介して多数のユーザがアクセスし、ユーザが相互に情報を交換する電子掲示板機能を備えたサーバ装置に関する。
【０００２】
【従来の技術】
多数のユーザが書き込み、読み出しを行う電子掲示板は、企業内の各種の情報伝達のためや企業あるいは自治体などが一般大衆とコミュニケートするために広く利用されている。
例えば、各種イベントの広場であるとか、新製品の紹介といったところに利用される場合が多い。また、企業内で用いる場合には会議の事前資料の配布や各種業務連絡をこの電子掲示板と呼ばれる仕組みで行うことができ、特に、企業内で業務依頼やその結果把握、関連資料の管理及びそれらの状況や資料の公開を行うのに好適である。
【０００３】
このような電子掲示板の機能は、電子掲示板に掲示する情報が格納されたサーバ装置を備えたシステムによって実現されている。
この電子掲示板システムでは、ユーザ端末から登録された新規な電子掲示板情報が通信ネットワークを介してサーバ装置に送信される。サーバ装置によって受信された新規な電子掲示板情報はデータベースに記憶された後、登録済みの電子掲示板情報に追加されて通信ネットワークを介してユーザ端末に送信され、ユーザ端末の画面上に表示される。
【０００４】
一方、電子掲示板システムの中には、コメントの文字情報だけでなく写真等の画像情報も掲載できるようにした電子掲示板がある（例えば、特許文献１参照。）。
特に、公衆交換電話網などの通信回線に接続され、ファクシミリの送受信機能を有するファクシミリサーバと、パーソナルコンピュータ（以下、パソコンという。）などのクライアント装置とがＬＡＮ（Ｌｏｃａｌ  Ａｒｅａ  Ｎｅｔｗｏｒｋ）を介して接続されてなるファクシミリシステムに電子掲示板機能を持たせた場合には、ファックス受信した画像やスキャナで読み取った画像を電子掲示板に掲載することが多い。
【０００５】
【特許文献１】
特開２００１−１０１１１４号公報
【０００６】
【発明が解決しようとする課題】
上記のような電子掲示板では、一般的にコメントのタイトルがスレッド表示されるが、画像も掲載できる電子掲示板では、コメントの内容よりも添付された画像のほうが、情報として重要な場合もある。例えば、製品開発部門において製品図面を電子掲示板を介してやり取りする場合や、発注伝票を業務部門間で電子掲示板を介して回覧する場合には、コメントよりも画像情報のほうが重要な情報である場合が多く、電子掲示板から削除されても利用価値のあるものがある。しかしながら、従来の電子掲示板では、コメント及びそのコメントに付随する返信コメントなどのスレッド単位あるいは各コメント単位でコメントが削除される場合、コメントに添付された画像データも削除され、それらの画像を再利用することができないという問題があった。
【０００７】
さらに、画像が重要な役割を果たす電子掲示板では、ユーザが画像にマーカーを記入したり、付箋画像を添付する等の画像編集を行って返信することが多く、画像編集が行われたコメントが削除されると、削除されたコメントの画像に対して他のユーザがさらに編集を行っていた場合、他のユーザが編集した対象画像がなくなってしまう可能性があった。また、画像編集が行われたコメントが削除されると、その画像編集の情報も削除されてしまい、途中の編集画像がなくなってしまうので、一部のコメントの削除後に電子掲示板でそのスレッドの画像を見たユーザはどのような経過で最終の画像になったかわからなくなってしまう、という問題もあった。
【０００８】
本発明は、上記の問題に鑑みてなされたもので、掲載文書が削除されても画像を保存できるとともに、画像編集が行われている場合には、画像を編集前の画像に復元するか否かを選択することができる電子掲示板機能を備えたサーバ装置を提供することを目的とする。
【０００９】
【課題を解決するための手段】
請求項１に係る発明は、画像データ及びテキストデータを掲載文書として扱うことができる電子掲示板機能を備えたサーバ装置において、画像データを格納する画像格納手段と、テキストデータを格納するコメント格納手段と、削除した画像を格納する削除画像格納手段と、上記各部を制御する制御手段とを備え、画像が含まれた掲載文書を削除する場合、上記制御手段が画像データを消去するか否かを選択させる画面を電子掲示板上に表示させるとともに、画像データを消去しない場合には、上記制御手段が削除された画像データを上記画像格納手段から上記削除画像格納手段に移動させることを特徴とする。
【００１０】
上記の請求項１に係る発明によれば、画像が含まれた掲載文書を削除する場合、画像データを消去するか否かを選択することができ、画像データを消去しない場合には、その画像データが削除画像格納手段に保存されるので、後日削除した画像が必要な場合には、この削除画像格納手段に保存された画像の検索等を行えば、再び削除した画像を利用することができる。
【００１１】
また、請求項２に係る発明は、画像データ及びテキストデータを掲載文書として扱うことができる電子掲示板機能を備えたサーバ装置において、画像データを格納する画像格納手段と、テキストデータを格納するコメント格納手段と、上記画像格納手段に格納された画像のバージョン管理を行う手段と、上記各部を制御する制御手段とを備え、掲載文書を削除する場合、上記制御手段が画像編集が行われているか否かを判別し、画像編集が行われていた場合には、上記制御手段が編集画像を削除するとともに、画像バージョン管理手段のバージョンデータから編集履歴を削除することを特徴とする。
【００１２】
この請求項２に係る発明によれば、掲載文書が削除される場合、画像編集が行われていると、編集画像が削除されるとともに、画像バージョン管理手段のバージョンデータから編集履歴が削除され、スレッド内の各画像のリンク等のバージョンが修正されるので、削除された編集画像に対して他のユーザがさらに編集を行っていた場合でも、その他のユーザが編集した画像を削除された編集画像の元の画像にリンクを変更することができ、画像を正しく再現することができる。
【００１３】
さらに、請求項３に係る発明は、画像データ及びテキストデータを掲載文書として扱うことができる電子掲示板機能を備えたサーバ装置において、画像データを格納する画像格納手段と、テキストデータを格納するコメント格納手段と、上記画像格納手段に格納された画像のバージョン管理を行う手段と、上記各部を制御する制御手段とを備え、掲載文書を削除する場合、上記制御手段が画像編集が行われているか否かを判別し、画像編集が行われていた場合には、上記制御手段が編集された画像を復元するか否かを選択させる画面を掲示板上に表示させるとともに、編集された画像を復元する場合には、上記制御手段が編集画像を削除するとともに、画像バージョン管理手段のバージョンデータから編集履歴を削除して画像を復元することを特徴とする。
【００１４】
この請求項３に係る発明によれば、掲載文書を削除する場合、画像編集が行われていると、編集された画像を復元するか否かを選択することができ、画像を復元しなければ、コメントを削除しても編集された画像が残るので、削除の後に電子掲示板でそのスレッドの画像を見たユーザは行われた編集の全てを反映した画像を見ることができる。
【００１５】
【発明の実施の形態】
以下、本発明の電子掲示板機能を備えたサーバ装置をファクシミリサーバを用いて実施した実施の形態について図面を用いて説明する。図１は本発明に係るファクシミリサーバを備えたシステムのネットワーク構成例を示す図、図２はファクシミリサーバのハードウェア構成を示すブロック図、図３はこのファクシミリサーバを機能で表した機能ブロック図である。
【００１６】
図１に示すネットワーク構成図において、１はファクシミリサーバ、２３、４、・・・はクライアントのパソコン、５はＬＡＮ、６は公衆交換電話網（ＰＳＴＮ）、７はインターネット網である。
ファクシミリサーバ１は、ＰＳＴＮ６に接続されるとともに、通信ネットワークとして、通信ネットワークの一つであるＬＡＮ５に接続されており、このＬＡＮ５には、複数のクライアントパソコン２、３、４、・・・が接続されるとともに、インターネット網７にも接続されている。
【００１７】
上記のファクシミリサーバ１は、ＰＳＴＮ６を通じてファクシミリ受信した画像データを、転送先のクライアントパソコンやインターネットに接続された他のファクシミリ装置に対して、それぞれ対応するプロトコルに従って転送することができ、また、クライアントパソコン２、３、４、・・・からデータを受信し、クライアントから指定された送信先に送信することもできる。
さらに、このファクシミリサーバ１は、ファクシミリ受信した画像、クライアントパソコン２、３、４、・・・から送信された画像、電子メールを利用したインターネットファクシミリで受信した画像あるいは読取部で読み取った画像を含む文書を情報として電子掲示板情報を作成する。
【００１８】
このファクシミリサーバ１のハードウェア構成について、図２により説明する。図２に示すように、ファクシミリサーバ１は、ＣＰＵ１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ハードディスクドライブ（ＨＤＤ）１４、表示部１５、操作部１６、読取部１７、画像メモリ１８、記録部１９、モデム２０、ネットワーク制御ユニット（ＮＣＵ）２１、ＬＡＮインターフェース２２から構成されるとともに、各部がバス２３を介して接続されている。
【００１９】
ＣＰＵ１１は、バス２３を介してファクシミリサーバ１のハードウェア各部を制御するとともに、ＲＯＭ１２に記憶されたプログラムに基づいて各種のプログラムを実行する。ＲＡＭ１３はＳＲＡＭ等で構成され、プログラムの実行時に発生する一時的なデータを記憶する。なお、このＲＡＭ１３にフラッシュメモリを使用する構成も可能であり、この場合には、停電時やファクシミリサーバ１の電源が遮断された場合にも記憶内容が失われることはない。また、ＨＤＤ１４は電子掲示板に登録されたコメントのテキストデータや画像データを記憶するとともに、作成された電子掲示板情報を記憶する。
【００２０】
表示部１５は、液晶表示装置（ＬＣＤ）又はＣＲＴディスプレイ等の表示装置であり、ファクシミリサーバ１の動作状態を表示したり、種々の機能の操作画面の表示を行う。操作部１６はファクシミリサーバ１を操作するために必要な文字キー、テンキー、短縮ダイアルキー、ヘルプキー等の各種のファンクションキーを備えている。なお、表示部１５をタッチパネル方式とすることによりこの操作部１６の各種キーの一部又は全部を代用することができる。
【００２１】
読取部１７は、ＣＣＤ等を利用したスキャナで原稿を読み取り、白黒２値に変換したドットイメージデータを出力する。画像メモリ１８は、ＤＲＡＭ等を用いて構成され、送信すべきイメージデータまたは受信したイメージデータを記憶する。記録部１９は電子写真方式等のプリンタ装置を備え、受信したデータをハードコピーとしてプリントアウトとする。
【００２２】
モデム２０は、バス２３に接続されており、ファクシミリ通信が可能なファックスモデムとしての機能を有し、このモデム２０は同様にバス２３に接続されたＮＣＵ２１と接続されている。ＮＣＵ２１はアナログ回線の閉結及び開放の動作を行うハードウェアであり、必要に応じてモデム２０をＰＳＴＮ６に接続する。また、ＬＡＮインターフェース２２は、ＬＡＮ５に接続され、ＬＡＮ５からの信号やデータを受信する一方、ＬＡＮ５に対して信号やデータを送信するものであり、信号変換やプロトコル変換などのインターフェース処理を実行する。
【００２３】
ファクシミリサーバ１は上記のような構成を備えており、ファクシミリ送信時には、原稿の画像データが読取部１７で読み取られて画像メモリ１８に蓄積された後、モデム２０で変調され、ＮＣＵ２１からＰＳＴＮ６を通して通信相手先に送信される。また、ファクシミリ受信時には、受信した画像データがモデム２０で復調されて画像メモリ１８に蓄積された後、記録部１９により印刷される。
【００２４】
一方、図３はこのファクシミリサーバ１の電子掲示板機能を実行する各部を示す機能ブロック図であり、制御部３１、画像格納部３２、差分画像情報格納部３３、コメント格納部３４、削除画像格納部３５、画像バージョン情報管理部３６、コメントリンク情報管理部３７及び電子掲示板情報作成部３８からなる。制御部３１はコメント及び画像の登録時に、登録された画像及びコメントに識別情報を付与し、識別情報が付与された新規登録画像を画像格納部３２に、編集された画像の編集分のみを差分画像情報格納部３３に、コメントをコメント格納部３４に格納するとともに、画像格納部３２、差分画像情報格納部３３に格納された新規画像、差分画像のリンク情報及び各コメントのリンク情報を生成し、それぞれ画像バージョン情報管理部３６及びコメントリンク情報管理部３７に送信する。また、制御部３１はコメント及び画像が削除された時、画像バージョン情報及びコメントリンク情報の修正情報をそれぞれ画像バージョン情報管理部３６及びコメントリンク情報管理部３７に送信するとともに、削除した画像を消去しない場合には、削除した画像を削除画像格納部３５に移動させる。さらに、新たにコメントや画像が登録されたり、コメントの返信あるいは画像の編集があった場合には、制御部３１は電子掲示板情報作成部３８に新たな電子掲示板情報の作成を指示し、電子掲示板情報作成部３８で作成された電子掲示板情報をクライアントパソコンに送信する。
【００２５】
また、画像格納部３２は電子掲示板に登録された新規画像の画像データを保存し、差分画像情報格納部３３は電子掲示板に掲示された画像が編集された場合に、編集前の画像と編集後の画像の差分情報を保存する。コメント格納部３４は、新規登録されたコメントや返信コメントのタイトルと本文よりなるテキストデータを保存し、削除画像格納部３５は削除された画像データを保存する。さらに、画像バージョン情報管理部３６は制御部３１により生成された画像のリンク情報に基づいて画像のリンク、即ち、バージョン情報を作成して保存し、コメントリンク情報管理部３７は制御部３１により生成されたコメントのリンク情報に基づいてコメントのリンクを作成して保存する。
【００２６】
電子掲示板情報作成部３８はコメントリンク情報管理部３６及び画像バージョン情報管理部３５からのリンク情報と画像格納部３２、差分画像情報格納部３３、コメント格納部３４からの情報に基づいて、スレッド毎のコメントのタイトル、画像アイコン、現在選択されているコメントのタイトル、本文及びそのコメントに画像が添付されている場合にはその画像の情報を備えるとともに、選択されているスレッド内に含まれるすべての画像のサムネイル一覧表示の情報を備えた電子掲示板情報を作成する。
これらの各部は、図２のＣＰＵ１１及びＲＯＭ１２、ＲＡＭ１３、ＨＤＤ１４により構成され、各部の機能はソフトウェアプログラムによって実行される。
【００２７】
次に、電子掲示板のコメント、画像の登録、返信、画像編集あるいは削除が行われる場合の、ファクシミリサーバ１の作用について、図３の機能ブロック図及び図４のフローチャートを用いて説明する。
ユーザがクライアントパソコン２を用いて、電子掲示板にアクセスすると、制御部３１はアクセスがあったことを判別（ステップ１０１）して、登録済みのコメント及び画像情報を含む電子掲示板情報をクライアントパソコン２に送信する（ステップ１０２）。そして、ユーザが電子掲示板にスレッド表示されたタイトルの中からあるタイトルをクリックして参照すると、制御部３１は参照があったことを判別（ステップ１０３）し、電子掲示板情報作成部３８に指示して参照されたコメントの本文および画像を含む電子掲示板情報を作成させ、作成された電子掲示板情報をクライアントパソコン２に送出する（ステップ１０４）。これによりクライアントパソコン２の表示画面には、図５に示すような電子掲示板が表示される。
【００２８】
図５に示すように電子掲示板の上部には、スレッド順に整理されたスレッド表示のタイトルリストが表示されるとともに、各コメントに新規画像が添付されている場合、あるいは編集画像がある場合には、そのコメントのタイトルの横に画像アイコンが表示されている。このスレッド表示は各コメントの親子関係を表現したものであり、あるコメントに対して誰かが返信した場合には、返信コメントは元のコメントから派生した子となる。図に示すように、あるコメントのタイトルに対し、そのコメントへの返信コメントのタイトルは１段下げて表示されており、同様にこれに対する返信のタイトルもそれより更に１段下げて表示されている。一つのコメントからこのような返信等の関係によって派生したコメント群全体がスレッドであり、図５の例では２つのスレッドが表示されている。
【００２９】
また、スレッド表示のタイトルリスト画面の下部には、現在選択されているコメントのタイトル及び本文と、画像が添付されている場合には、その画像が表示される。さらに、電子掲示板画面の右側には選択されているスレッド内に含まれるすべての画像の一覧がサムネイルとして表示されるとともに、表示されているコメントの元になった画像（図示例では、画像３）にフォーカスがあてられている。このサムネイル表示された一覧の中の一つをクリックすることによっても、そのサムネイル表示に該当する画像及びコメントを参照することができる。
【００３０】
そして、ユーザが画面中央の「新規」、「返信」、「削除」あるいは「終了」をクリックすると、この情報がファクシミリサーバ１に送信されるので、ファクシミリサーバ１の制御部３１は「終了」か否かを判別し（ステップ１０５）、「終了」の場合にはプログラムを終了する。
一方、「終了」でない場合には、「削除」か否かを判別し（ステップ１０６）、「削除」でない場合には、「返信」か「新規」かを判別する（ステップ１０７）。そして、「新規」の場合には、新規登録画面（図示せず）をクライアントパソコン２に送信し（ステップ１０８）、新規登録画面においてユーザが画像、コメントを入力して送信すると、制御部３１は、送信された画像及びコメントに識別情報を付与し、識別情報を付与した画像を画像格納部３２に、識別情報を付与したコメントをコメント格納部３４に格納するとともに、画像のリンク情報、コメントのリンク情報を新たに生成し、画像バージョン情報管理部３６及びコメントリンク情報管理部３７に送信する（ステップ１０９）。この後、制御部３１は電子掲示板情報作成部３８に新たな電子掲示板情報の作成を指示し、電子掲示板情報作成部３８がコメントリンク情報管理部３７及び画像バージョン情報管理部３６からのリンク情報と画像格納部３２、差分画像情報格納部３３、コメント格納部３４からの情報に基づいて電子掲示板情報をあらたに作成し、制御部３１が新たに作成された電子掲示板情報をクライアントパソコン２に送信する（ステップ１０４）。
【００３１】
一方、ユーザが「返信」をクリックした場合には、制御部３１は電子掲示板情報作成部３８に図６に示す返信画面を作成させ、クライアントパソコンに送信する（ステップ１１０）。図６に示すように、この返信画面の左側には選択されているコメントの画像が表示されており、画面の右側には、返信コメントのタイトル記入欄、本文記入欄、登録者名記入欄、及び新たな画像等の添付ファイルを記入する欄が設けられている。
【００３２】
この返信画面において、ユーザが返信コメントを記入して「実行」をクリックすると、返信コメントがファクシミリサーバ１に送られ、添付ファイル欄で「参照」をクリックすることによりファイルの一覧を表示させ、その中から該当するファイルを選択することにより画像を選択した後、「実行」をクリックすると、選択されたファイルが新規画像としてファクシミリサーバ１に送られる。また、ユーザが「画像編集」をクリックすると、左側の画像が編集可能となり、ユーザが画像にマーカーを記入したり、付箋画像を添付する等の画像編集を行った後、「実行」をクリックすると、その編集情報がファクシミリサーバ１に送信される。
【００３３】
そして、ファクシミリサーバ１の制御部３１は、送信されてきた情報から新規画像が有るか否かを判別し（ステップ１１１）、新規画像がある場合には、送信された画像に識別情報を付与した後、識別情報を付与した画像を画像格納部３２に格納するとともに、その画像を元の画像にリンクさせるリンク情報を画像バージョン情報管理部３６に送信し、画像バージョン情報管理部３６が画像の新たなバージョン情報を生成して保存する（ステップ１１２）。
【００３４】
次に、制御部３１は送信されたコメントに識別情報を付与し、識別情報を付与したコメントのテキストデータをコメント格納部３４に格納するとともに、そのコメントを元のコメントにリンクさせるリンク情報をコメントリンク情報管理部３７に送信し、コメントリンク情報管理部３７が新たなコメントリンクを生成して保存する（ステップ１１５）。次に、新規登録の場合と同様に、制御部３１は電子掲示板情報作成部３８に新たな電子掲示板情報の作成を指示し、制御部３１は新たに作成された電子掲示板情報をクライアントパソコン２に送信する（ステップ１０４）。
【００３５】
一方、ステップ１１１において、新規画像なしと判断された場合には、制御部３１は画像編集がなされたか否かを判別し（ステップ１１３）、画像編集がなかった場合には、コメントのみの返信であるので、制御部３１はそのコメントに識別情報を付与し、識別情報を付与したコメントのテキストデータをコメント格納部３４に格納するとともに、そのコメントを元のコメントにリンクさせるリンク情報をコメントリンク情報管理部３７に送信した（ステップ１１５）後、上記と同様に、電子掲示板情報作成部３８に新たな電子掲示板情報の作成を指示し、新たに作成された電子掲示板情報をクライアントパソコン２に送信する（ステップ１０４）。
【００３６】
また、ステップ１１３において、画像編集有りと判断された場合には、付箋画像や記入されたマーカー等の編集画像に識別情報を付与し、識別情報を付与した画像を差分画像情報格納部３３に格納するとともに、その差分画像を元の画像にリンクさせるリンク情報を画像バージョン情報管理部３５に送信し、画像バージョン情報管理部３５が画像の新たなバージョン情報を生成して保存した（ステップ１１４）後、ステップ１１５に移行する。
【００３７】
一方、ステップ１０６において、「削除」と判断された場合には、制御部３１は削除の対象が選択されているスレッド全体か、選択されているコメントのみかを判別する（ステップ１１６）。なお、スレッド全体を削除する場合には、図５の表示画面において、マウス等を用いてスレッド全体を選択することにより、スレッド単位で削除することができる。
スレッド全体の削除の場合には、制御部３１は、そのスレッドに画像が含まれているか否かを判別し（ステップ１１７）、画像が含まれている場合には、図７に示す画像消去確認画面をパーソナルコンピュータ２に送信する（ステップ１２２）。そして、ユーザが「ＹＥＳ」または「ＮＯ」をクリックすると、この情報がファクシミリサーバ１に送信されるので、ファクシミリサーバ１の制御部３１は「消去」か否かを判別し（ステップ１２３）、「消去」の場合には、画像格納部３２及び差分画像情報格納部３３に保存されているそのスレッドに含まれる全ての画像を削除し（ステップ１２４）、消去しない場合は、画像格納部３２及び差分画像情報格納部３３に保存されているそのスレッドに含まれる全ての画像を削除画像格納部３５に移動させる（ステップ１２５）。
【００３８】
次に、制御部３１は、画像バージョン情報管理部３６にそのスレッドの画像リンク情報の削除を指示し、画像バージョン情報管理部３６が該当するスレッドのリンク情報を削除することにより画像のバージョン情報を修正する（ステップ１２６）。この後、制御部３１は、コメント格納部３４に保存されているそのスレッドに含まれる全てのコメントを削除する（ステップ１２７）とともに、コメントリンク情報管理部３７にそのスレッドのコメントリンク情報の削除を指示し、コメントリンク情報管理部３７が該当するスレッドのリンク情報を削除することによりコメントのリンク情報を修正する（ステップ１２８）。この後、制御部３１は、電子掲示板情報作成部３８に新たな電子掲示板情報の作成を指示し、新たに作成された電子掲示板情報をクライアントパソコン２に送信する（ステップ１０４）。なお、ステップ１１７において、画像なしと判断された場合には、ステップ１２７のコメント削除とステップ１２８のコメントリンク修正が行われる。
【００３９】
また、ステップ１１６において、選択されているコメントのみの削除と判断された場合には、制御部３１は、そのコメントに画像が有るか否かを判別し（ステップ１１８）、画像がない場合には、ステップ１２７に移行する。
一方、削除されるコメントに画像が含まれている場合には、制御部３１は、その画像が画像編集か否かを判別する（ステップ１１９）。画像編集でない場合には、ステップ１２２に移行し、画像編集の場合には、制御部３１は図８に示す画像復元確認画面をパーソナルコンピュータ２に送信する（ステップ１２０）。
【００４０】
そして、ユーザが「ＹＥＳ」または「ＮＯ」をクリックすると、この情報がファクシミリサーバ１に送信されるので、ファクシミリサーバ１の制御部３１は「ＹＥＳ」か「ＮＯ」かを判別し（ステップ１２１）、「ＮＯ」の場合には、画像を復元しないので、ステップ１２７に移行し、コメントのみを削除する。「ＹＥＳ」の場合には、その編集画像を削除し、画像を復元するので、制御部３１は、図７に示す画像消去確認画面をパーソナルコンピュータ２に送信する（ステップ１２２）。以下、上記と同様に、ユーザが「ＹＥＳ」または「ＮＯ」をクリックすると、この情報がファクシミリサーバ１に送信されるので、ファクシミリサーバ１の制御部３１は「消去」か否かを判別し（ステップ１２３）、「消去」の場合には、編集画像を削除し（ステップ１２４）、消去しない場合は、差分画像情報格納部３３に保存されている画像を削除画像格納部３５に移動させる（ステップ１２５）。
【００４１】
次に、制御部３１は、画像バージョン情報管理部３５にその編集画像の画像リンク情報の削除を指示し、画像バージョン情報管理部３５が該当する編集画像のリンク情報を削除することにより画像のバージョン情報を修正し（ステップ１２６）、これにより画像が復元される。この後、制御部３１は、コメント格納部３４に保存されているコメントを削除する（ステップ１２７）とともに、コメントリンク情報管理部３５にそのコメントのコメントリンク情報の削除を指示し、コメントリンク情報管理部３５が該当するコメントのリンク情報を削除することによりコメントのリンク情報を修正する（ステップ１２８）。この後、制御部３１は、電子掲示板情報作成部３８に新たな電子掲示板情報の作成を指示し、新たに作成された電子掲示板情報をクライアントパソコン２に送信する（ステップ１０４）。
以上のように、削除されるスレッド又はコメントに画像が含まれている場合には、画像の消去及び復元についてユーザに問い合わせがされるので、画像データを消去しない場合には、その画像データを保存することができ、また、画像を復元しなければ、コメントを削除してもそのコメントで編集された画像を残すことができる。
【００４２】
なお、上記の実施の形態では、本発明の電子掲示板機能を備えたサーバ装置をファクシミリサーバにより実現する例を説明したが、本発明の電子掲示板機能を備えたサーバ装置はファクシミリサーバに限らず通常のサーバ装置やパーソナルコンピュータによって実施することもできる。
さらに、上記の実施の形態では、差分画像格納部を設け、画像編集が行われた場合には、編集された画像と元の画像との差分情報を差分画像情報格納部に格納したが、編集された画像全体を新規画像の画像格納部と同じ画像格納部に格納することも可能である。
【００４３】
【発明の効果】
以上詳述したように、請求項１に係る発明によれば、掲載文書を削除する場合、画像データを消去するか否かを選択することができ、画像データを消去しない場合には、その画像データが削除画像格納手段に保存されるので、後日削除した画像が必要な場合には、この削除画像格納手段に保存された画像の検索等を行えば、再び削除した画像が利用可能となる。
【００４４】
また、請求項２にかかる発明によれば、掲載文書が削除される場合、画像編集が行われていると、編集画像が削除されるとともに、画像バージョン管理手段のバージョンデータから編集履歴が削除され、スレッド内の各画像のリンク等のバージョンが変更されるので、削除された編集画像に対して他のユーザがさらに編集を行っていた場合でも、その他のユーザが編集した画像を削除された編集画像の元の画像にリンクを変更することができ、画像を正しく再現することができる。
【００４５】
さらに、請求項３に係る発明によれば、掲載文書を削除する場合、画像編集が行われていると、編集された画像を復元するか否かを選択することができ、画像を復元しなければ、コメントを削除しても編集された画像が残るので、削除の後に電子掲示板でそのスレッドの画像を見たユーザは行われた編集の全てを反映した画像を見ることができる。
【図面の簡単な説明】
【図１】本発明に係る電子掲示板機能を備えたサーバ装置をファクシミリサーバを用いて実施したシステムのネットワーク構成例を示す図である。
【図２】ファクシミリサーバのハードウェア構成を示すブロック図である。
【図３】ファクシミリサーバにより実行される電子掲示板機能を示す機能ブロック図である。
【図４】電子掲示板機能を実行する場合の作用を示すフローチャートである。
【図５】電子掲示板の表示画面を示す図である。
【図６】電子掲示板における返信画面を示す図である。
【図７】画像を消去するか否かの確認画面である。
【図８】編集した画像を元に戻すか否かの確認画面である。
【符号の説明】
１  ファクシミリサーバ
２、３、４  クライアントパソコン
５  ＬＡＮ
６  ＰＳＴＮ
７  インターネット網
１１  ＣＰＵ
１２  ＲＯＭ
１３  ＲＡＭ
１４  ＨＤＤ
１５  表示部
１６  操作部
１７  読取部
１８  画像メモリ
１９  記録部
２０  モデム
２１  ネットワーク制御ユニット
２２  ＬＡＮインターフェース
２３  バス
３１  制御部
３２  画像格納部
３３  差分画像情報格納部
３４  コメント格納部
３５  削除画像格納部
３６  画像バージョン情報管理部
３７  コメントリンク情報管理部
３８  電子掲示板情報作成部
【図１】
2004362112.tif 000003
【図２】
2004362112.tif 000004
【図３】
2004362112.tif 000005
【図４】
2004362112.tif 000006
【図５】
2004362112.tif 000007
【図６】
2004362112.tif 000008
【図７】
2004362112.tif 000009
【図８】
2004362112.tif 000010